(57)【要約】【課題】曲げられた際に折目模様が浮き出る複層シート及び袋物を提供する。【解決手段】本複層シート１１０は、一方の面（裏面）を内向き又は外向きに曲げられるフレキシブルシート１１１と、フレキシブルシート１１１よりも硬質で、フレキシブルシート１１１の裏面に近接して貼り付けられた複数のピース１１２と、を備えている。ピース１１２は、フレキシブルシート１１１が裏面を内向きに曲げられた状態で、隣り合っているエッジ同士が接触するように近接して配置されている。フレキシブルシート１１１は、裏面を内向きに曲げられた状態で、ピース１１２のエッジによって他方の面（表面）に折目模様が浮き出る。フレキシブルシート１１１は、皮革が採用される。袋物は、ペンケースやバッグなどである。【選択図】図１
2019136864.tif 000002
【特許請求の範囲】
【請求項１】
一方の面を内向き又は外向きに曲げられるフレキシブルシートと、
前記フレキシブルシートよりも硬質で、前記フレキシブルシートの前記一方の面に近接して貼り付けられた複数のピースと、
を備え、
前記各ピースは、近接して隣り合い、
前記フレキシブルシートは、前記一方の面を内向きに曲げられた状態で、前記ピースのエッジによって他方の面に折目模様が浮き出る、
複層シート。
【請求項２】
前記ピースは、前記フレキシブルシートが前記一方の面を内向きに曲げられた状態で、隣り合っているエッジ同士が接触するように配置されている請求項１に記載の複層シート。
【請求項３】
前記ピースは、それぞれ分離している請求項１又は２に記載の複層シート。
【請求項４】
前記フレキシブルシートの前記一方の面に貼り付けられる基盤を備え、
前記ピースは、前記基盤の少なくとも前記一方の面に入れられた複数方向の複数の溝で囲まれた領域内に設けられる請求項１又は２に記載の複層シート。
【請求項５】
前記ピースを覆う裏地を前記フレキシブルシートの前記一方の面側に備えている請求項１乃至４のうちいずれか１項に記載の複層シート。
【請求項６】
前記フレキシブルシートは、皮革である請求項１乃至５のうちいずれか１項に記載の複層シート。
【請求項７】
曲げられた前記フレキシブルシートの一対の側縁を接離させる開閉具を備えている請求項１乃至６のうちいずれか１項に記載の複層シート。
【請求項８】
請求項１乃至７に記載のうちいずれか１項に記載の複層シートを備え、
前記複層シートが袋状に成形された、
袋物。
【発明の詳細な説明】
【技術分野】
【０００１】
本発明は、フレキシブルシートに折目模様が浮き出るようにした複層シート、及びこの複層シートから成形される袋物に関する。
【背景技術】
【０００２】
従来より、皮革製品の表面に模様を施す方法や素材が種々提供されている。例えば、特許文献１には、皮革の裏面をほぼ直線的に複数箇所で漉いた革素材が提供されている。この革素材の漉きが加えられた部分は、１．２ｍｍ以下の厚さとされている。
【０００３】
この革素材の漉きが加えられた部分は、厚さが相当薄くなることで、柔らかくなって曲がりやすくなる。革素材の銀面（表面）は、漉きの部分で多少窪み、僅かな凹部が形成されることで、格子状の模様が施される。このような革素材は、ハンドバッグや筆入れなどとして製品化される。
【先行技術文献】
【特許文献】
【０００４】
【特許文献１】登録実用新案第３１９５７５７号公報
【発明の概要】
【発明が解決しようとする課題】
【０００５】
特許文献１に記載された革素材は、皮革の裏面が漉かれることで形成される凹部の部分において薄肉となる。革素材は、凹部の部分において薄すぎると、破けてしまう。したがって、使用する革素材は、凹部の部分において破けない程度の厚さが要求され、薄い革素材を使用することができない。
【０００６】
さらに、特許文献１に記載された革素材は、形成された凹部と凹部との間が曲げられないことで、凹部の部分に折目模様が浮き出る。このような革素材は、例えば革素材が柔らかすぎたり硬すぎたりするというような特性によって、折目模様が浮き出なかったり、凹部以外で折目模様が浮き出たりすることがある。したがって、この革素材は、皮革の特性によって、所望のラインで折目模様が浮き出ないことがある。
【０００７】
本発明は、曲げられた際に折目模様が浮き出る複層シート及び袋物を提供することを目的とする。
【課題を解決するための手段】
【０００８】
本発明に係る複層シートは、
一方の面を内向き又は外向きに曲げられるフレキシブルシートと、
前記フレキシブルシートよりも硬質で、前記フレキシブルシートの前記一方の面に近接して貼り付けられた複数のピースと、
を備え、
前記各ピースは、近接して隣り合い、
前記フレキシブルシートは、前記一方の面を内向きに曲げられた状態で、前記ピースのエッジによって他方の面に折目模様が浮き出る。
【０００９】
本発明に係る複層シートの前記ピースは、前記フレキシブルシートが前記一方の面を内向きに曲げられた状態で、隣り合っているエッジ同士が接触するように配置されていてもよい。
本発明に係る複層シートの前記ピースは、それぞれ分離していてもよい。
本発明に係る複層シートは、前記フレキシブルシートの前記一方の面に貼り付けられる基盤を備え、前記ピースは、前記基盤の少なくとも前記一方の面に入れられた複数方向の複数の溝で囲まれた領域内に設けられてもよい。
【００１０】
本発明に係る複層シートは、前記ピースを覆う裏地を前記フレキシブルシートの前記一方の面側に備えていてもよい。
本発明に係る複層シートの前記フレキシブルシートは、皮革であってもよい。
本発明に係る複層シートは、曲げられた前記フレキシブルシートの一対の側縁を接離させる開閉具を備えていてもよい。
【００１１】
本発明に係る袋物は、
本発明に係る複層シートを備え、
前記複層シートが袋状に成形されたものである。
【発明の効果】
【００１２】
本発明によれば、曲げられた際に折目模様が浮き出る複層シート及び袋物を提供することができる。
【図面の簡単な説明】
【００１３】
【図１】本発明に係る複層シートの第１の実施形態を示す概略分解斜視図である。
【図２】本発明に係る袋物の第１の実施形態を示し、図２（ａ）は袋物が閉じている状態を示す概略斜視図、図２（ｂ）は袋物が開いている状態を示す概略斜視図である。
【図３】本発明に係る複層シートの第２の実施形態を示す概略斜視図である。
【図４】本発明に係る袋物の第２の実施形態を示す概略斜視図である。
【図５】本発明に係る袋物の第３の実施形態を示す概略斜視図である。
【図６】本発明に係る袋物の第４の実施形態を示す概略斜視図である。
【図７】本発明に係る複層シートの第２の実施形態に備えられた基盤を示す概略斜視図である。
【発明を実施するための形態】
【００１４】
〔第１の実施形態〕
本発明に係る複層シート及び袋物の第１の実施形態について図１及び図２を参照して説明する。図１は、本発明に係る複層シート１１０の第１の実施形態を示す概略分解斜視図である。図２は、本発明に係る袋物１０の第１の実施形態を示し、図２（ａ）は袋物１０が閉じている状態を示す概略斜視図、図２（ｂ）は袋物１０が開いている状態を示す概略斜視図である。
【００１５】
第１の実施形態の複層シート１１０は、図２に示すような袋物１０が成形される素材である。「成形」とは、ユーザが個人的に袋物１０を組み立てたり、製造業者が工場などで製作したりすることを含む。袋物１０から複層シート１１０に展開することは、個人的に行える。第１の実施形態の袋物１０は、デザイン性に富んだペンケースである（以下、第１の実施形態では「ペンケース１０」として説明する。）。
【００１６】
図１に示すように、第１の実施形態の複層シート１１０は、フレキシブルシート１１１と複数のピース１１２とを備えている。フレキシブルシート１１１としては、皮革が採用される。皮革は、折目模様が浮き出る厚さないし柔軟性を有していれば、その種類を限定しない。
【００１７】
フレキシブルシート１１１は、アーチ窓のような形状で、一方側が半円形とされ、他方側が四角形とされている。複層シート１１０は、開閉具１１３を備えている。開閉具１１３としては、図示したようなファスナや、図示しない面ファスナ、スナップボタンなどが採用される。以下、開閉具１１３はファスナ１１３として説明する。
【００１８】
ファスナ１１３は、噛み合うエレメント（務歯）１１３ａと、エレメント１１３ａを噛み合わせたり外したりするためのスライダ１１３ｂ（図１において図示せず）とを備えている。エレメント１１３ａは、フレキシブルシート１１１の半円形の部分の周縁と、この半円形の部分に連続する一対の直線状の部分の両側縁部にＵ字状に設けられる。
【００１９】
フレキシブルシート１１１からペンケース１０が製作された状態において、ファスナ１１３のエレメント１１３ａは、円弧状の中心部が折目となって、噛み合ったり外れたりする開閉部となる。ファスナ１１３は、スライダ１１３ｂがエレメント１１３ａの中心部に位置している状態において閉じられ、スライダ１１３ｂがエレメント１１３ａの中心部から離れることで開けられる。ファスナ１１３が開けられると、ペンケース１０は、複層シート１１０の一端部側が外向きに折り返せるようにされている。
【００２０】
ピース１１２は、フレキシブルシート１１１よりも硬質で、例えばＡＢＳ樹脂などの樹脂によって形成されている。ピース１１２は、フレキシブルシート１１１の一方の面（この実施形態では以下、「裏面」として説明する。）に貼り付けられる。ピース１１２は、例えば、接着剤や両面接着テープ、熱溶着などによってフレキシブルシート１１１の裏面に接着される。ピース１１２は、ボタンホールのような小孔が形成されることで、糸などによってフレキシブルシート１１１の裏面に縫い付けられてもよい。
【００２１】
ピース１１２の形状は、図示したような直角二等辺三角形だけでなく、図示しない正三角形、四角形、六角形、円形、楕円形、星形、キャラクタなどを象った形状など限定しない。いずれにしても、各ピース１１２は、分離して配置されている。分離して配置された各ピース１１２は、フレキシブルシート１１１が裏面を内向きに曲げられた状態で、隣り合っているエッジ同士が接触するように近接している。
【００２２】
複数のピース１１２が仮にフレキシブルシート１１１の裏面全面に貼り合わされていると、アーチ窓形状に形成されたフレキシブルシート１１１から製作されるペンケース１０の一端部１２を寄せ合わせたり、内面を外向きに折り返したりしにくくなる。
【００２３】
ペンケース１０の一端部１２を寄せ合わせたり、内面を外向きに折り返したりしやすくするため、フレキシブルシート１１１の裏面に貼り合わされるピース１１２は、フレキシブルシート１１１の半円形の一方側で漸減している。具体的には、ピース１１２は、フレキシブルシート１１１の四角形の他方側でほぼ全面貼り合わされ、半円形の一方側で円弧状の中心部へ突き出る三角形状に形成され、複数のピース１１２全体において五角形状とされ、全面に貼り付けられていない。つまり、フレキシブルシート１１１の一方側の両側部には、ピース１１２が貼り付けられない。
【００２４】
複層シート１１０は、ピース１１２を覆う裏地１１５を備えている。裏地１１５は、フレキシブルシート１１１と同じ大きさとされる。裏地１１５の周縁部とフレキシブルシート１１１の周縁部とが重なり合って、接着剤や縫合などによって貼り合わされる。裏地１１５は、ピース１１２とも接着剤などによって貼り合わされる。したがって、ピース１１２は、フレキシブルシート１１１と裏地１１５とに挟まれ、両者１１１，１１５に貼り合わされる。裏地１１５の材質は、柔軟性を有していれば限定しない。例えば、裏地１１５は、皮革やビニル、布などが採用される。
【００２５】
このような複層シート１１０によって図２に示すような角筒状のペンケース１０が製作される。ペンケース１０は、角筒状に成形された複層シート１１０の内部にペン（図示せず）などを収納する収納部（採番せず）を設けている。このペンケース１０は、アーチ窓のような形状のフレキシブルシート１１１から製作されるため、一端側が円弧を描いた独特のフォルムを呈している。
【００２６】
ペンケース１０は、フレキシブルシート１１１の裏面及び裏地１１５が内向きに曲げられ、フレキシブルシート１１１の表面が露出する。ペンケース１０は、複層シート１１０の半円形の一方側の部分の中心を折目とし、四角形の他方側の部分の一対の側縁が接離する開閉部１１とされる。開閉部１１は、フレキシブルシート１１１に備えられたファスナ１１３によって開閉し、収納部内のペンなどが飛び出ないようにしたり、取り出したりすることができる。
【００２７】
ペンケース１０は、一端部１２側を上向きにして起立姿勢とすることができるように、下端となる他端部に四角形状の台座１３を備えている。台座１３は、角筒状に成形された複層シート１１０の他端部に鋲（図示せず）などによって固定されている。台座１３によって複層シート１１０が筒状を維持し、収納部を設けるように保形される。
【００２８】
このペンケース１０は、隣り合っているピース１１２のエッジがフレキシブルシート１１１の表面側へ飛び出る状態になったり、裏地１１５側へ凹む状態になったりすることで、フレキシブルシート１１１の表面に折目模様が浮き出たようになる。隣り合っているピース１１２のエッジ同士が接触するように近接して配置されることにより、フレキシブルシート１１１が曲げられた状態で、ピース１１２が傾斜し、その傾斜姿勢が規制され、浮き出た折目模様が歪まないようにすることができる。つまり、折目と折目の間のフレキシブルシート１１１は、ピース１１２によって平坦な状態を維持する。
【００２９】
ペンケース１０は、フレキシブルシート１１１が皮革であることにより、高級感が醸し出され、折目模様が浮き出ることにより、独特のフォルムが生み出される。ピース１１２は、フレキシブルシート１１１よりも硬質であることから、複層シート１１０が歪まないように補強することができる。
【００３０】
このペンケース１０は、収納部内にペンなどが入れられ、図２（ａ）に示すように、ファスナ１１３が閉じられて携行される。ペンケース１０は、図２（ａ）に示すような起立姿勢でなく、横臥姿勢で携行することもできる。携行中にペンなどが収納部内で揺れ動いても、フレキシブルシート１１１に貼り付けられたピース１１２は、裏地１１５に覆われていることでフレキシブルシート１１１から外れない。
【００３１】
収納部内からペンなどを取り出すときは、図２（ｂ）に示すようにファスナ１１３を開ける。ペンケース１０は、起立姿勢となるように台座１３をデスク上に置くことで、ペンスタンドとして使用することができる。ペンケース１０は、複層シート１１０の先端部を折り返し、裏地１１５が表側に現れるように開閉部１１を開けた状態を維持することができる。ピース１１２が複層シート１１０の一端側で漸減していることで、複層シート１１０の先端部は、折り返される。ペンケース１０は、横臥姿勢でも使用することができる。
【００３２】
なお、第１の実施形態では、製造業者がフレキシブルシート１１１からペンケース１０を製作するとして説明したが、ユーザがフレキシブルシート１１１からペンケース１０を個人的に組み立ててもよい。
【００３３】
〔第２の実施形態〕
本発明に係る複層シート１２０及び袋物の第２の実施形態について図３及び図４を参照して説明する。図３は、本発明に係る複層シート１２０の第２の実施形態を示す概略分解斜視図である。図４は、本発明に係る袋物２０の第２の実施形態を示す概略斜視図である。
【００３４】
第２の実施形態の複層シート１２０は、図４に示すような袋物２０を組み立てる素材である。第２の実施形態の袋物２０は、デザイン性に富んだバッグである（以下、第２の実施形態では、「バッグ２０」として説明する。）。
【００３５】
図３に示すように、第２の実施形態の複層シート１２０は、バッグ２０を組み立てるため、フレキシブルシート１２１と、複数のピース１２２とを備えている。フレキシブルシート１２１としては、第１の実施形態と同様、折目模様が浮き出る厚さないし柔軟性を有している種々の皮革が採用される。フレキシブルシート１２１は、四角形状（この実施形態では長方形）に形成される。複層シート１２０の短辺側の平行な一対の端部には、複数の通し孔（採番せず）が一定間隔で形成されている。
【００３６】
ピース１２２は、第１の実施形態と同様、フレキシブルシート１２１よりも硬質で、例えばＡＢＳ樹脂などの樹脂によって形成される。ピース１２２は、第１の実施形態と同様、図示したような直角二等辺三角形や図示しない多角形や円形など種々の形状に成形される。
【００３７】
ピース１２２は、フレキシブルシート１２１の一方の面（この実施形態では裏面）のほぼ全面に近接して貼り付けられる。ただし、フレキシブルシート１２１の短辺側の一対の端部は、ピース１２２を貼り付ける部位とピース１２２を貼り付けない部位とが交互に設けられる。ピース１２２は、例えば、接着剤や両面接着テープなどによってフレキシブルシート１２１に接着される。ボタンホールのような小孔が形成されたピース１２２は、糸などでフレキシブルシート１２１に縫い付けられる。
【００３８】
フレキシブルシート１２１が裏面を内向きに曲げられると、隣り合っているピース１２２のエッジ同士が接触する。フレキシブルシート１２１の短辺側の端部は、ピース１２２を貼り付ける部位とピース１２２を貼り付けない部位とが交互に設けられていることで、複層シート１２０の両端部は、山折りと谷折りが交互に連なるように折り曲げられた襞状となって閉じられる。
【００３９】
複層シート１２０は、ピース１２２を覆う裏地１２５を備えている。裏地１２５は、フレキシブルシート１２１と同じ乃至小さ目の大きさとされる。裏地１２５の周縁部とフレキシブルシート１２１の周縁部とが重なり合って、接着剤や縫合などによって貼り合わされる。ピース１２２は、フレキシブルシート１２１と裏地１２５とに挟まれ、両者１２１，１２５に貼り合わされる。裏地１２５の材質は、柔軟性を有していれば限定しない。裏地１２５は、例えば、皮革やビニル、布などが採用される。
【００４０】
このような複層シート１２０は、第１の開閉具１２３を備えている。第１の開閉具１２３は、複層シート１２０の長辺側の平行な一対の側縁部に備えられている。複層シート１２０の通し孔には、第２の開閉具１２４の紐１２４ａが備えられる。通し孔は、ピース１２２やピース１２２のないフレキシブルシート１２１及び裏地１２５に穿孔するように設けられる。
【００４１】
このような複層シート１２０は、平坦である。したがって、複層シート１２０は、例えば、旅行や出張時において、当初は使用しないものの必要に応じて使用したい場合に、スーツケースなどの鞄に嵩張らないように入れて携行することができる。そして、旅先や出張先でバッグ２０を携帯する必要が生じたときは、スーツケースなどの鞄を宿舎に置いたまま、鞄から複層シート１２０を取り出して筒状に曲げることで、図４に示すようなバッグ２０を組み立てることができる。
【００４２】
バッグ２０は、収納部を設ける横向き筒状の胴部２１と、胴部２１に設けられた上面開閉部２２及び端面開閉部２３と、上面開閉部２２を開閉する第１の開閉具（以下、「上面開閉具」という。）１２３と、端面開閉部２３を開閉する第２の開閉具（以下、「端面開閉具」という。）１２４とを備えている。上面開閉部２２は、胴部２１の上面の長さ方向に設けられる。端面開閉部２３は、胴部２１の両端に設けられる。なお、バッグ２０は、胴部２１の一端にのみ端面開閉部２３を設け、他端を閉鎖部としてもよい。
【００４３】
上面開閉部２２は、上面開閉具１２３によって開閉する。上面開閉具１２３は、図示したようなファスナや図示しない面ファスナ、スナップボタンなど種々のタイプがデザインに応じて採用される。以下、上面開閉具１２３はファスナ１２３として説明する。ファスナ１２３は、噛み合うエレメント（務歯）１２３ａと、エレメント１２３ａを噛み合わせたり外したりするためのスライダ１２３ｂ（図３において図示せず）を備えている。エレメント１２３ａは、複層シート１２０の長辺側の平行な一対の側縁部に設けられる。
【００４４】
端面開閉部２３は、山折りと谷折りが交互に連なるような襞状に形成され、端面開閉具１２４によって開閉する。端面開閉部２３は、複数の通し孔に通される紐１２４ａと、紐１２４ａが挿通する留め具１２４ｂとを備えている。留め具１２４ｂは、紐１２４ａが挿通した状態で、端面開閉部２３を閉めるように端面開閉部２３に近づいたり、端面開閉部２３を開けるように端面開閉部２３から離れたり、移動自在とされている。
【００４５】
紐１２４ａを保持した状態の留め具１２４ｂが緩められる（端面開閉部２３から離れる）ことで、端面開閉部２３は、円形に開口する。留め具１２４ｂが締められる（端面開閉部２３に近づく）ことで、端面開閉部２３は閉じた状態となる。なお、端面開閉具１２４は、留め具１２４ｂを備えず、端面開閉部２３を閉じた状態で紐１２４ａの両端部を結ぶようにしてもよい。端面開閉具１２４は、図示しないファスナや面ファスナ、スナップボタンなどとしてもよい。バッグ２０は、筒状部の底面に底鋲（図示せず）を備えていてもよい。
【００４６】
このようにして複層シート１２０によってバッグ２０が成形される。このバッグ２０は、複層シート１２０がフレキシブルシート１２１の裏面に複数のピース１２２を貼り付けたものであることから、複層シート１２０が筒状に曲げられることによって、隣り合っているピース１２２のエッジ同士が接触し、フレキシブルシート１２１の表面に折目模様が浮き出る。
【００４７】
この折目模様は、隣り合っているピース１２２のエッジがフレキシブルシート１２１側へ飛び出る状態になったり、裏地１２５側へ凹む状態になったりすることで、独特のフォルムを維持する。隣り合っているピース１２２のエッジ同士が接触するように近接して配置されることにより、フレキシブルシート１２１が曲げられた状態で、ピース１２２が傾斜し、その傾斜姿勢が規制され、浮き出た折目模様が歪まないようにすることができる。つまり、折目と折目の間のフレキシブルシート１２１は、ピース１２２によって平坦な状態を維持する。ピース１２２は、フレキシブルシート１２１よりも硬質であることから、複層シート１２０が歪まないように補強することができる。
【００４８】
このバッグ２０は、上面開閉具１２３又は端部開閉具が開閉されることで、収納部内に小物を出し入れすることができる。このバッグ２０は、裏地１２５を備えていることによって、収納部内に小物を出し入れするに際して、ピース１２２が外れることがないようになっている。携帯したバッグ２０は、宿舎において平坦な複層シート１２０に戻し、スーツケースなどの鞄に嵩張らないように戻すこともできる。そして、鞄から取り出された複層シート１２０は、平坦であるため、例えば棚に立てて保管したり、引きだし（抽斗）内に寝かして保管したりできる。なお、このバッグ２０は、図示しない持ち手（ハンドル）などを有するようにすることもできる。
【００４９】
〔その他の実施形態〕
以上、本発明の実施の形態について説明してきたが、本発明は何ら前記実施の形態に記載の構成に限定されるものではなく、特許請求の範囲に記載されている事項の範囲内で考えられるその他の実施の形態や変形例も含むものである。また本発明の要旨を逸脱しない範囲内であれば種々の変更や上記実施の形態の組み合わせを施してもよい。
【００５０】
すなわち、袋物は、第１の実施形態のペンケース１０や第２の実施形態のバッグ２０に限定されない。袋物は、例えば、図５に示すようなポーチ３０（第３の実施形態）や、図６に示すようなトートバッグ４０（第４の実施形態）などであってもよい。
【００５１】
図５は、ポーチ３０を示す概略正面図である。このポーチ３０は、第１及び第２の実施形態で説明したようなフレキシブルシート１３１と複数のピース１３２とを備えた複層シート１３０から製作される。この複層シート１３０は、複数のピース１３２を覆う裏地（図示せず）を備えていてもよい。この複層シート１３０は、四角形状に形成され、第２の実施形態の複層シート１３０のような通し孔が形成されていない。図示したピース１３２は、三角形状に形成されているが、四角形や六角形のような多角形状だけでなく、円形状などに形成されてもよく、形状を特定しない。
【００５２】
ポーチ３０は、複層シート１３０の一方の端部と他方の端部とが上側で向き合うように、複層シート１３０が二つ折りのように曲げられ、収納部を設けるように、両側部が縫合などによって結合されている。ポーチ３０の上側には、開閉具１３３が備えられる。開閉具１３３は、図示したような下向きコ字状の口金や、図示しないファスナ、面ファスナ、スナップボタンなどによって構成される。
【００５３】
図６は、トートバッグ４０を示す概略斜視図である。このトートバッグ４０は、第１及び第２の実施形態で説明したようなフレキシブルシート１４１と複数のピース１４２とを備えた複層シート１４０から製作される。この複層シート１４０は、複数のピース１４２を覆う裏地（図示せず）を備えていてもよい。この複層シート１４０は、四角形状に形成され、第２の実施形態の複層シート１２０のような通し孔が形成されていない。図示したピース１４２は、六角形状に形成されているが、三角形のような多角形や円形などに形成されてもよく、形状を限定しない。
【００５４】
ポーチ３０もトートバッグ４０も、ピース１３２，１４２のエッジによってフレキシブルシート１３１，１４１の表面に折目模様が浮き出る。この折目模様は、ピース１３２，１４２がフレキシブルシート１３１，１４１よりも硬質であることから、折目と折目との間が平坦な状態を維持し、歪まないように補強される。なお、ポーチ３０もトートバッグ４０も、製造業者によってフレキシブルシート１３１，１４１から製作されるだけでなく、ユーザが個人的に組み立ててもよい。
【００５５】
第１の実施形態の複層シート１１０は、複数のピース１１２が個々にフレキシブルシート１１１に貼り付けられた。しかし、ピース１１２は、図７に示すように、フレキシブルシート１１１に貼り付けられた硬質の基盤１５０の前面に設けられてもよい（複層シートの第２の実施形態）。図７は、第２の実施形態の複層シートに備えられた基盤１５０の実施形態を示す概略斜視図である。
【００５６】
１枚の基盤１５０をフレキシブルシート１１１に貼り付けるだけで、多数のピース１１２をフレキシブルシート１１１に貼り付けることができる。このピース１１２は、基盤１５０の前面に異なる方向に入れられた多数の溝１５１で囲まれた領域内に設けられる。各ピース１１２は、溝１５１を介して隣り合い、フレキシブルシート１１１が曲げられた状態において、隣り合っているエッジ同士が接触するように溝１５１の幅と深さが設定される。溝１５１は、図７に示したような幅を有しているものだけでなく、切目のような幅が極めて狭いものであってもよい。隣り合ったピース１１２とピース１１２とは、狭間部１５２で連結された状態となる。
【００５７】
ピース１１２の形状は、溝１５１の方向によって特定される。溝１５１は、例えば交差する第１、第２、第３の三方向に形成される。第１の溝１５１は、例えば横方向に形成される。第２の溝１５１は、第１の溝１５１に対して＋４５°の角度で傾斜して形成される。第３の溝１５１は、第１の溝１５１と第２の溝１５１の交点から第１の溝１５１に対して−４５°の角度で傾斜して形成される。このような第１、第２、第３の溝１５１によって、囲まれた領域内に直角二等辺三角形のピース１１２が形成される。
【００５８】
ただし、基盤１５０は、四角形状に形成される。したがって、基盤１５０の外周に設けられるピースは、直線状のラインに揃えられるように、基盤１５０の中間部よりも小さめの三角形に形成されたり、変形四角形に形成されたりする。基盤１５０は、成形される袋物の形態に合わせて、図１に示すような五角形のような形状やその他任意の形状としてもよい。
【００５９】
基盤１５０に形成される第１、第２、第３の溝１５１が６０°の等角度で形成されると、ピース１１２は正三角形に形成される。溝１５１が三方向でなく格子状に横方向と縦方向に形成されると、ピース１１２は正方形又は長方形に形成される。溝１５１が二方向に傾斜した多数の平行線で形成されると、ピースは菱形に形成される。溝１５１がハニカム状に形成されると、ピース１１２は六角形に形成される。その他、ピース１１２は溝１５１の方向によって種々の形状に形成される。
【００６０】
前記実施形態のピース１１２は、隣り合っているエッジ同士が接触するように配置されたが、フレキシブルシート１１１の柔軟性の度合いなどから、エッジによって折目模様を浮き出すことができれば、エッジ同士が接触しないように分離して配置されてもよい。さらに、前記実施形態のピース１１２は、多数個が配置されたが、２個のピース１１２によっても、折目模様を浮き出すことができる。
【００６１】
ピース１１２は、分離していても、基盤１５０に形成されていても、同じ形状とすることなく、異なる形状としてもよい。特に、分離しているピース１１２は、円形や星形、キャラクタなどの形状に容易に象ることができる。さらに、異なる形状のピース１１２がフレキシブルシート１１１の裏面に貼り付けられてもよい。
【００６２】
複層シートの第２の実施形態では、第１の実施形態のピース１１２の変形例として説明したが、第２乃至第４の実施形態のピース１２２，１３２，１４２であっても、同様に基盤１５０に設けられてもよい。
【００６３】
前記実施形態の複層シート１１０，１２０，１３０，１４０は、フレキシブルシート１１１，１２１，１３１，１４１の裏面に裏地を貼り合わせたが、必ずしも裏地を備えなくてもよい。裏地を備えない複層シート１１０，１２０，１３０，１４０にあっては、ピース１１２，１２２，１３２，１４２が表面になるような袋物を成形してもよい。この場合は、ピース１１２，１２２，１３２，１４２自体が見える模様そのものとなる。
【００６４】
前記実施形態の複層シート１１０，１２０，１３０，１４０は、フレキシブルシート１１１，１２１，１３１，１４１として皮革を採用したが、皮革に替え、人工皮革や樹脂、布地などを採用してもよい。
【００６５】
前記実施形態の複層シート１１０，１２０，１３０，１４０は、ピース１１２，１２２，１３２，１４２としてＡＢＳ樹脂のような樹脂を採用したが、フレキシブルシート１１１，１２１，１３１，１４１よりも硬質であれば、紙や金属などを採用してもよい。フレキシブルシート１１１，１２１，１３１，１４１が例えば、樹脂や布地などであれば、ピース１１２，１２２，１３２，１４２として硬質の皮革を使用してもよい。
【００６６】
前記実施形態では、複層シート１１０，１２０，１３０，１４０から各種の袋物１０，２０，３０，４０を成形した。しかし、複層シート１１０，１２０，１３０，１４０は、前記実施形態で説明した袋物以外に種々の製品として使用することができる。例えば、複層シート１１０，１２０，１３０，１４０からは、広義の袋物といえる財布、メガネケース、各種のボックスやブーツなどの靴を成形することもできる。また、第２の実施形態において、複層シート１２０からバッグ２０を組み立てたり、戻したりする場合について説明したが、第１の実施形態などであっても同様に複層シート１１０，１３０，１４０から袋物１０，３０，４０を組み立てることもできる。
【００６７】
また、複層シート１１０，１２０，１３０，１４０は、円柱に巻き付けられることにより、化粧板のように使用することができる。ピース１１２，１２２，１３２，１４２がフレキシブルシート１１１，１２１，１３１，１４１の裏面に貼り付けられ、フレキシブルシート１１１，１２１，１３１，１４１が曲げられることによって、折目模様がフレキシブルシート１１１，１２１，１３１，１４１の表面に浮き出る。
【００６８】
複層シート１１０，１２０，１３０，１４０を円柱に巻き付ける場合は、ピース１１２，１２２，１３２，１４２を外向きにしてもよい。この場合は、フレキシブルシート１１１，１２１，１３１，１４１がピースを貼り付けている側が表面となる。ピース１１２，１２２，１３２，１４２が独特の模様を醸し出す。
【００６９】
この場合は、隣り合っているピース１１２，１２２，１３２，１４２のエッジが離れるため、隣り合っているピース１１２，１２２，１３２，１４２とピース１１２，１２２，１３２，１４２とは曲げられたときに接触するように離れていなくてもよい。ピース１１２，１２２，１３２，１４２が表面となるようにフレキシブルシート１１１，１２１，１３１，１４１に貼り付けられる場合は、複層シート１１０，１２０，１３０，１４０を壁の下地に貼り付けてもよい。
【００７０】
〔まとめ〕
以上まとめると、本発明が適用される複層シート１１０，１２０，１３０，１４０は、次のような構成を取れば足り、各種各様な実施形態を取ることができる。
即ち、本発明が適用される複層シート１１０，１２０，１３０，１４０は、
一方の面を内向き又は外向きに曲げられるフレキシブルシート１１１，１２１，１３１，１４１と、
前記フレキシブルシート１１１，１２１，１３１，１４１よりも硬質で、前記フレキシブルシート１１１，１２１，１３１，１４１の前記一方の面に近接して貼り付けられた複数のピース１１２，１２２，１３２，１４２と、
を備え、
前記各ピース１１２，１２２，１３２，１４２は、近接して隣り合い、
前記フレキシブルシート１１１，１２１，１３１，１４１は、前記一方の面を内向きに曲げられた状態で、前記ピース１１２，１２２，１３２，１４２のエッジによって他方の面に折目模様が浮き出る。
【００７１】
この複層シート１１０，１２０，１３０，１４０によれば、フレキシブルシート１１１，１２１，１３１，１４１が前記一方の面を内向き又は外向きに曲げられ、フレキシブルシート１１１，１２１，１３１，１４１よりも硬質のエッジによって表面に折目模様が浮き出ることで、フレキシブルシート１１１，１２１，１３１，１４１の厚さに関わりなく、立体的なフォルムを生み出し、折目と折目の間がピース１１２，１２２，１３２，１４２によって平坦を維持して歪まないように補強することができる。
【００７２】
本発明が適用される一態様の複層シート１１０，１２０，１３０，１４０において、
前記ピース１１２，１２２，１３２，１４２は、前記フレキシブルシート１１１，１２１，１３１，１４１が一方の面を内向きに曲げられた状態で、隣り合っているエッジ同士が接触するように近接して配置されている。
この複層シート１１０，１２０，１３０，１４０によれば、隣り合っているピース１１２，１２２，１３２，１４２のエッジ同士が接触するように近接して配置されることにより、フレキシブルシート１１１，１２１，１３１，１４１が曲げられた状態で、ピース１１２，１２２，１３２，１４２が傾斜し、その傾斜姿勢が規制され、所期の折目模様が浮き出るようにすることができる。
【００７３】
本発明が適用される複層シート１１０，１２０，１３０，１４０において、
前記ピース１１２，１２２，１３２，１４２は、それぞれ分離している。
この複層シート１１０，１２０，１３０，１４０によれば、ピース１１２，１２２，１３２，１４２が分離していることにより、任意の形状のピース１１２，１２２，１３２，１４２をフレキシブルシート１１１，１２１，１３１，１４１の任意の位置に貼り付けることができ、バリエーションを増やすことができる。
【００７４】
本発明が適用される複層シート１１０，１２０，１３０，１４０において、
前記フレキシブルシート１１１，１２１，１３１，１４１の前記一方の面に貼り付けられる基盤１５０を備え、
前記ピース１１２，１２２，１３２，１４２は、前記基盤１５０の少なくとも前記一方の面に入れられた複数方向の複数の溝１５１で囲まれた領域内に設けられる。
この複層シート１１０，１２０，１３０，１４０によれば、基盤１５０をフレキシブルシート１１１，１２１，１３１，１４１に貼り付け、個々のピース１１２，１２２，１３２，１４２をフレキシブルシート１１１，１２１，１３１，１４１に貼り付けないため、ピース１１２，１２２，１３２，１４２をフレキシブルシート１１１，１２１，１３１，１４１に貼り付ける作業性を向上させることができる。
【００７５】
本発明が適用される他態様の複層シート１１０，１２０，１３０，１４０は、
前記ピースを覆う裏地１１５，１２５を前記フレキシブルシート１１１，１２１，１３１，１４１の前記一方の面側に備えている。
この複層シート１１０，１２０，１３０，１４０によれば、ピース１１２，１２２，１３２，１４２が裏地に覆われることにより、ピース１１２，１２２，１３２，１４２がフレキシブルシート１１１，１２１，１３１，１４１から外れにくいようにすることができる。
【００７６】
本発明が適用される異なる他態様の複層シート１１０，１２０，１３０，１４０は、
前記フレキシブルシート１１１，１２１，１３１，１４１は、皮革である。
この複層シート１１０，１２０，１３０，１４０によれば、フレキシブルシート１１１，１２１，１３１，１４１が皮革であることにより、高級感のある袋物などの製品を成形することができる。
【００７７】
本発明が適用されるさらに異なる他態様の複層シート１１０，１２０，１３０，１４０は、
曲げられた前記フレキシブルシート１１１，１２１，１３１，１４１の一対の側縁が接合した状態を維持させる開閉具１１３，１２３，１２４を備えている。
この複層シート１１０，１２０，１３０，１４０によれば、フレキシブルシート１１１，１２１，１３１，１４１に開閉具１１３，１２３，１２４が備えられていることにより、複層シート１１０，１２０，１３０，１４０から袋物などの製品を成形しやすくすることができる。
【００７８】
本発明が適用される袋物１０，２０，３０，４０は、
本発明に係る複層シート１１０，１２０，１３０，１４０を備え、
前記複層シート１１０，１２０，１３０，１４０が袋状に成形されている。
【００７９】
この袋物によれば、本発明に係る複層シート１１０，１２０，１３０，１４０から成形されることにより、フレキシブルシート１１１，１２１，１３１，１４１の厚さに関わりなく、表面に折目模様が浮き出るようにし、折目と折目の間が板状を維持するように補強され、独特のフォルムを生み出すことができる。
【符号の説明】
【００８０】
１０，２０，３０，４０：袋物
１１０，１２０，１３０，１４０：複層シート
１１１，１２１，１３１，１４１：フレキシブルシート
１１２，１２２，１３２，１４２：ピース
１１３，１２３，１２４，１３３：開閉具
１１５，１２５：裏地
１５０：基盤
１５１：溝
【図１】
2019136864.tif 000003
【図２】
2019136864.tif 000004
【図３】
2019136864.tif 000005
【図４】
2019136864.tif 000006
【図５】
2019136864.tif 000007
【図６】
2019136864.tif 000008
【図７】
2019136864.tif 000009